【手続補正書】
【提出日】平成16年12月21日(2004.12.21)
【手続補正１】
【補正対象書類名】明細書
【補正対象項目名】特許請求の範囲
【補正方法】変更
【補正の内容】
【特許請求の範囲】
【請求項１】
入力画像データの対象領域内の斜め方向エッジ成分を抽出する斜め方向エッジ成分抽出手段と、
前記対象領域における前記斜め方向エッジ成分の含有率を算出する斜め方向エッジ成分含有率算出手段と、
前記斜め方向エッジ成分の含有率により前記対象領域が文字画像を含む領域か否かを判別する文字領域判別手段と、
を有することを特徴とする画像処理装置。
【請求項２】
前記文字領域判別手段は、前記斜め方向エッジ成分の含有率が０．２〜３０％である場合に前記対象領域が文字画像を含む領域であると判別するものである請求項１に記載の画像処理装置。
【請求項３】
前記斜め方向エッジ成分抽出手段は、入力画像データの頁全体を前記対象領域として斜め方向エッジ成分を抽出するものである請求項１または２に記載の画像処理装置。
【請求項４】
前記斜め方向エッジ成分抽出手段は、入力画像データの頁を複数に分割したブロックを前記対象領域として斜め方向エッジ成分を抽出するものである請求項１〜３のいずれか１項に記載の画像処理装置。
【請求項５】
前記斜め方向エッジ成分抽出手段は、入力画像データの頁を縦または横のいずれかに分割したブロックを前記対象領域として斜め方向エッジ成分を抽出するものである請求項１〜４のいずれか１項に記載の画像処理装置。
【請求項６】
前記斜め方向エッジ成分抽出手段は、入力画像データの頁を縦および横に分割したブロックを前記対象領域として斜め方向エッジ成分を抽出するものである請求項１〜５のいずれか１項に記載の画像処理装置。
【請求項７】
前記斜め方向エッジ成分抽出手段は、前記入力画像データから得られたエッジ画像データの所定方向および前記所定方向に直交する方向のエッジ画素の間隔が所定画素数以下であるエッジ画素群の外接矩形内領域を前記対象領域として斜め方向エッジ成分を抽出するものである請求項１〜６のいずれか１項に記載の画像処理装置。
【請求項８】
入力画像データからエッジ画像データを作成するエッジ画像データ作成手段と、
前記エッジ画像データの主走査および副走査方向のエッジ画素の間隔を計測し、前記間隔が所定画素数以下であるエッジ画素間を補間して連結エッジ画素群とした連結エッジ画像データを作成する連結エッジ画像データ作成手段と、
前記連結エッジ画像データの前記連結エッジ画素群の外接矩形内領域を局所領域として抽出する局所領域抽出手段と、
をさらに有し、
前記斜め方向エッジ成分抽出手段は、前記入力画像データの前記局所領域を前記対象領域として斜め方向エッジ成分を抽出するものであり、
前記文字領域判別手段は、前記斜め方向エッジ成分の含有率により前記局所領域が文字画像のみを含む領域であるか否かを判別するものである、
請求項１に記載の画像処理装置。
【請求項９】
前記文字領域判別手段は、前記斜め方向エッジ成分の含有率が０．２〜２０％である場合に前記局所領域が文字画像のみを含む領域であると判別するものである請求項８に記載の画像処理装置。
【請求項１０】
前記入力画像データの文字画像のみを含む領域と判別された局所領域から文字画像構成画素のみからなる文字画像データを抽出する文字画像データ抽出手段をさらに有する請求項８または９に記載の画像処理装置。
【請求項１１】
前記入力画像データの文字画像のみを含む領域と判別された局所領域に含まれる前記文字画像構成画素を周辺画素で置換して非文字画像データを作成する非文字画像データ作成手段をさらに有する請求項８〜１０のいずれか１項に記載の画像処理装置。
【請求項１２】
入力画像データの対象領域内の斜め方向エッジ成分を抽出する段階（１）と、
前記対象領域における前記斜め方向エッジ成分の含有率を算出する段階（２）と、
前記斜め方向エッジ成分の含有率により前記対象領域が文字画像を含む領域か否かを判別する段階（３）と、
を有することを特徴とする画像処理方法。
【請求項１３】
段階（３）は、前記斜め方向エッジ成分の含有率が０．２〜３０％である場合に前記対象領域が文字画像を含む領域であると判別するものである請求項１２に記載の画像処理方法。
【請求項１４】
段階（１）は、入力画像データの頁全体を前記対象領域として斜め方向エッジ成分を抽出するものである請求項１２または１３に記載の画像処理方法。
【請求項１５】
段階（１）は、入力画像データの頁を複数に分割したブロックを前記対象領域として斜め方向エッジ成分を抽出するものである請求項１２〜１４のいずれか１つに記載の画像処理方法。
【請求項１６】
段階（１）は、入力画像データの頁を縦または横のいずれかに分割したブロックを前記対象領域として斜め方向エッジ成分を抽出するものである請求項１２〜１５のいずれか１つに記載の画像処理方法。
【請求項１７】
段階（１）は、入力画像データの頁を縦および横に分割したブロックを前記対象領域として斜め方向エッジ成分を抽出するものである請求項１２〜１６のいずれか１つに記載の画像処理方法。
【請求項１８】
段階（１）は、前記入力画像データから得られたエッジ画像データの所定方向および前記所定方向に直交する方向のエッジ画素の間隔が所定画素数以下であるエッジ画素群の外接矩形内領域を前記対象領域として斜め方向エッジ成分を抽出するものである請求項１２〜１７のいずれか１つに記載の画像処理方法。
【請求項１９】
入力画像データからエッジ画像データを作成する段階（４）と、
前記エッジ画像データの主走査および副走査方向のエッジ画素の間隔を計測し、前記間隔が所定画素数以下であるエッジ画素間を補間して連結エッジ画素群とした連結エッジ画像データを作成する段階（５）と、
前記連結エッジ画像データの前記連結エッジ画素群の外接矩形内領域を局所領域として抽出する段階（６）と、
をさらに有し、
段階（１）は、前記入力画像データの前記局所領域を前記対象領域として斜め方向エッジ成分を抽出するものであり、
段階（３）は、前記斜め方向エッジ成分の含有率により前記局所領域が文字画像のみを含む領域であるか否かを判別するものである、
請求項１２に記載の画像処理方法。
【請求項２０】
段階（３）は、前記斜め方向エッジ成分の含有率が０．２〜２０％である場合に前記局所領域が文字画像のみを含む領域であると判別するものである請求項１９に記載の画像処理方法。
【請求項２１】
前記入力画像データの文字画像のみを含む領域と判別された局所領域から文字画像構成画素のみからなる文字画像データを抽出する段階（７）をさらに有する請求項１９または２０に記載の画像処理方法。
【請求項２２】
前記入力画像データの文字画像のみを含む領域と判別された局所領域に含まれる前記文字画像構成画素を周辺画素で置換して非文字画像データを作成する段階（８）をさらに有する請求項１９〜２１のいずれか１つに記載の画像処理方法。
【請求項２３】
入力画像データの対象領域内の斜め方向エッジ成分を抽出する手順（１）と、
前記対象領域における前記斜め方向エッジ成分の含有率を算出する手順（２）と、
前記斜め方向エッジ成分の含有率により前記対象領域が文字画像を含む領域か否かを判別する手順（３）と、
を画像処理装置に実行させることを特徴とする画像処理プログラム。
【請求項２４】
手順（３）は、前記斜め方向エッジ成分の含有率が０．２〜３０％である場合に前記対象領域が文字画像を含む領域であると判別するものである請求項２３に記載の画像処理プログラム。
【請求項２５】
手順（１）は、入力画像データの頁全体を前記対象領域として斜め方向エッジ成分を抽出するものである請求項２３または２４に記載の画像処理プログラム。
【請求項２６】
手順（１）は、入力画像データの頁を複数に分割したブロックを前記対象領域として斜め方向エッジ成分を抽出するものである請求項２３〜２５のいずれか１つに記載の画像処理プログラム。